(57)【要約】【課題】本発明は、故人名の表示に際し、無理な作業を余儀なくされることのない、維持管理のし易い、御墓の故人名表示器を安価に提供することを目的とする。【解決手段】上述の課題を解決するために、少なくとも一名の故人名Ａ・Ｂ・Ｃ・・・が記入される立円柱形の回転石碑体２１と；この回転石碑体２１の円柱面２１ａを包囲する筒体であって、開口窓Ｗが開設されて前記石碑体２１を一定角度回すことにより前記故人名を選択的に顕出せしめる外郭石２２と；前記回転石碑体２１の頂部に設けられ、前記円柱面２１ａと外郭石２２との間への雨水塵埃の侵入を防止する蓋体２３とを含んで構成されて、墓石台部の所要位置に配置される御墓の故人名表示器を実現した。【選択図】  図１
2004324196.tif 000002
【特許請求の範囲】
【請求項１】
少なくとも一名の故人名Ａ・Ｂ・Ｃ・・・が記入される立円柱形の回転石碑体２１と；この回転石碑体２１の円柱面２１ａを包囲する筒体であって、開口窓Ｗが開設されて前記石碑体２１を一定角度回すことにより前記故人名を選択的に顕出せしめる外郭石２２と；前記回転石碑体２１の頂部に設けられ、前記円柱面２１ａと外郭石２２との間への雨水塵埃の侵入を防止する蓋体２３を含んで構成され、墓石台部の所要位置に配置されることを特徴とする御墓の故人名表示器。
【請求項２】
前記石碑体２１の底面には、同心円状に形成された枢部２１ｂが設けられており、また、前記外郭石２２の中空部２２ａ底面には、前記枢部２１ｂを摺動可能に受け入れる軸孔２２ｂが形成されていることを特徴とする請求項１記載の御墓の故人名表示器。
【請求項３】
外郭石の軸孔２２ｂには、ステンレストレーＦが嵌着されていることを特徴とした請求項２記載の御墓の故人名表示器。
【請求項４】
前記外郭石２２の前面部下端には供物置台３が設けられていることを特徴とする請求項１〜３の何れかに記載の御墓の故人名表示器。
【発明の詳細な説明】
【０００１】
【発明の属する技術分野】
本発明は、御墓に併設される故人名（法名、戒名、俗名あるいは洗礼名）表示器の改良に関し、詳しくは、墓碑に複雑な細工を施したり、あるいは墓石の近くに表示板用のスペースを別途設ける必要がなく頗る経済的で、また、風雨等に晒されて、記された故人名の着色文字が薄れたり、あるいは、汚損したりすることのない維持管理がし易く、しかも、合祀の場合には、特定の故人名を簡単に選択して表示することのできる御墓の故人名表示器に関するものである。
【０００２】
【従来の技術】
従来、複数人の故人名を記入した石板（以下、法名板と略称）を墓碑の中に差し込んで収容し、この墓碑の上を天蓋石によって塞いで成る墓石塔は従来公知である（特許文献１）。
【０００３】
【特許文献１】
特公平７−８６２９０号公報。
【０００４】
しかしながら、この従来技術においては、確かに、法名板が風雨等に晒されて汚損することはないが、法名板の使用に際して、重い天蓋石の取付及び取外しが必要となり、特に高齢者にとっては苦痛であった。
【０００５】
また、法名板の取り出しあるいは収容時に、天蓋石を上げ下ろしする際、墓石の他の部分に接触して、その一部が欠損したりあるいは、双方ともに損傷したりする場合があり、修理費用を要することもあった。
【０００６】
また、天蓋石の上げ下ろしの時に、墓碑の頭頂が高い所にある場合には、下石台と上石台に足を載せて作業する必要があって、祖霊を祀る御墓に足を掛けることに対し抵抗を感じる人も多かった。
【０００７】
また、特許文献１のように、法名板を墓碑の中に差し込んで収容するためには墓碑を刳り抜く必要があって、墓石を傷つけることに対し抵抗を感じる人もあった。
【０００８】
更には、上記の如く、複数の法名板を整然と収納する為に、墓碑を見栄え良く正確に刳り抜く必要があったため、高度の技術と多大の加工費を要し、製造コストもアップせざるをえなかった。
【０００９】
更にまた、生前親しかった故人の命日に墓拝する際に、特許文献１に記載されるような従来の法名板にあっては、一枚の板に複数の法名が記載されている為、拝みたい故人に対し読経を行う際にも、祷りを集中することができず、違和感を感じさせる傾向があった。
【００１０】
【発明が解決しようとする課題】
本発明は、故人名の表示に際し、無理な作業を余儀なくされることのない、特に高齢者や体の不自由な人にとっては頗る使い勝手が良く、しかも、維持管理のし易い御墓の故人名表示器を提供するものである。
【００１１】
また、本発明は、故人名の表示に際し、天蓋石等墓石塔の一部分を取り外して法名板の選択抽出後、この一部分を再度元に戻すといった面倒で手間のかかる作業に伴い、取扱中の不注意により墓石が損傷して不意の修理を余儀なくされることのない御墓の故人名表示器を提供するものである。
【００１２】
また、本発明は、墓石製作の際に、墓碑の内部を刳り抜いたり、あるいは、故人名の表示に際し、墓石に足を掛けたりして、祖霊を祀る厳粛な御墓を傷つけたり、あるいは、穢したりすることのない御墓の故人名表示器を提供するものである。
【００１３】
更に、本発明は、簡易な石工機械によって安価に製作することができる御墓の故人名表示器を提供するものである。
【００１４】
更にまた、本発明は、墓前に特定の故人名を表示して、特定の故人に対する読経を行うことによって、祷りを特定の故人に集中することのできる御墓の故人名表示器を提供するものである。
【００１５】
【課題を解決するための手段】
本発明は、前述の目的を達成する手段として、少なくとも一名の故人名Ａ・Ｂ・Ｃ・・・が記入される立円柱形の回転石碑体２１と；この回転石碑体２１の円柱面２１ａを包囲する筒体であって、開口窓Ｗが開設されて前記石碑体２１を一定角度回すことにより前記故人名を選択的に顕出せしめる外郭石２２と；前記回転石碑体２１の頂部に設けられ、前記円柱面２１ａと外郭石２２との間への雨水塵埃の侵入を防止する蓋体２３を含んで構成され、墓石台部の所要位置に配置されることによって、従来の如く、故人名の表示に際し、墓石を穢したり、あるいは、傷つけたりすることなく、また、無理な作業を伴うことなく特定の故人名を簡単に選択して表示することができると共に、置き晒しによる汚れや埃の付着を防止でき特に高齢者あるいは体の不自由な人にとっては好都合な維持管理のし易い御墓の故人名表示器を実現したことにある。
【００１６】
また、上記の構成において、前記外郭石２２を別途製作して、これを墓石台部の所要位置に配置し、墓碑自体には法名板収納上の一切の加工を施すことは無い為、祖霊を祀る御墓に非礼な所作を加えることはなく、また、製造工程において高度の技術と多大の加工費を要することのない経済的な御墓の故人名表示器を実現した。
【００１７】
また、上記の構成において、前記石碑体２１の底面には、同心円状に形成された枢部２１ｂが設けられており、また、前記外郭石２２の中空部２２ｂ底面には前記枢部２１ｂを表面に嵌着されたステンレストレーを介し摺動可能に受け入れる軸孔２２ｂが形成されていることにより、前記蓋体の周縁を掴みながら前記枢部を回転させることによって、前記開口窓を介し所望の故人名を容易に選択して表示できると共に、通常は、前記石碑体の非表示面を前記開口窓に向けることで表面に記された故人名が風雨等に晒されて、彫られた文字の角部が一部欠落するなどの不要な修理を回避することのできる御墓の故人名表示器を実現した。
【００１８】更に、上記の如き構成において、前記外郭石２２の前面部下端には、供物置台３が設けられていることによって、とりわけ仏教様式の場合において、特定の故人名の真下に蝋燭・線香・水等の供物を配置することができる御墓の故人名表示器を実現した。
【００１９】
【発明の実施の形態】
以下、本発明の実施の形態を、図示例を挙げて、更に詳細に説明する。
【００２０】
【第１実施形態】
図１は、本実施形態における故人名表示器２を仏式の墓石Ｓに配置した状態を示す正面図である。
【００２１】
また、図２は本実施形態における故人名表示器２の一部切欠断面図である。
【００２２】
図１において、符号１にて指示されるものは墓石であって、この墓石は、お題目の記された墓碑（竿石）１１、蓮華台１２、上石台１３、下石台１４及び芝台１５とから構成される。図示の通り、前記表示器２は、墓石の下石台１４前方の芝台上中間部に載置されており、その両脇には、花立て４が起立している。
【００２３】
尚、前記表示器２は、図２において更に詳細に示される通り、立円柱形の回転石碑体２１と、この石碑体を収容する箱型の外郭石２２並びに前記石碑体の頂部に設けられた蓋体２３とから構成されており、前記石碑体は円柱面２１ａ及び底面に形成された同心円状の枢部２１ｂとから構成され、また、前記外郭石２２はその内側に形成される中空部２２ａと前記枢部を摺動可能に受け入れる軸孔２２ｂとから構成されている。
【００２４】
尚、当該外郭石の正面中間部には、仏教様式に準じ、唐様の開口窓Ｗが設けられており、これを介して、後述する前記円柱面２１ａに記された特定の法名を選択表示することができる。
【００２５】
また、前記蓋体２３は、前記中空部２２ａ内面と前記円柱面との間隙を埋める如く、後者の直径よりも弱冠大きく形成されており、この隙間に埃や塵あるいは雨水が侵入することはないため、前記外郭石の内部が汚れたり、目詰まりして、前記石碑体の回転に支障が生じることは無い。
【００２６】
次に、図中、符号３にて指示されるものは供物置台であって、台上部平面には蝋燭や線香といった供物を立設する為の差込孔３ａ及び３ｂが穿設されている。このため、法名の真下に供物をお供えすることができて、従来の如く、位牌を墓前に据える必要はない。
【００２７】
図２において、符号Ｆにて指示されるものは、前記外郭石の軸孔２２ｂに嵌着されたステンレストレーであって、このトレー表面上を前記枢部２１ｂが摺動して、石碑体を回転させる。
【００２８】
次に、図２において更に詳細に示される通り、符号Ａ・Ｂ・Ｃにて指示されるものは法名であって、前記石碑体の円柱面２１ａに縦列状態で記されている。この石碑体は、形態上、平板状の法名板に比べ更に多くの法名をその外周面上に記すことができる。
【００２９】
尚、法名を円柱面２１ｂに記す為には、法名の表示の無い面を前記開口窓に向けて、その表面に直接、彫り刻むことができ、態々、工場に持ち帰って、彫刻作業を行う必要はない。
【００３０】
これに関し、前記円柱面は、通常、法名の表示の無い面を前記開口窓に向けておけば、法名が風雨等に晒されて、着色文字が薄れたり、あるいは、表面が汚れたりすることはない。
【００３１】
ここで、特定の法名を表示する為には、前記蓋体の周縁を掴んで、石碑体を回転させ、所望の法名が前記開口窓に向いた時点で回転を止めるだけで良い。
【００３２】
【第２実施形態】
図３は、本実施形態に基づく故人名表示器を洋式風の墓石Ｓに配置した状態を示す斜視図である。尚、本実施形態においては、各宗派において使用されるお題目等の定型句を墓碑に刻むことなく、宗旨にとらわれない自由な文面あるいは文字を墓碑に刻んでいる。
【００３３】
このため、本実施形態においては、図示の如く、開口窓から垣間見える回転石碑体の円柱面には俗名Ｂ’が刻まれており、第１実施形態の如き仏式墓石のデザインにとらわれない自由な発想を故人名表示器にも活用することができる。
【００３４】
具体的に述べると、本実施形態と第１実施形態との差異は、先ず、前記外郭石２２の形状を丸みを帯びた墓石の形状に合わせて円筒体とし、次に、前記開口窓Ｗの形状を欧風な菱形としたこと及び前記供物置台の上面に故人の愛用品であった徳利Ｒ及びパイプＰを配置したことにある。その他の構成は、上述した第１実施形態と同じである。
【００３５】
このように、本実施形態においては、宗派を超えた自由な独創的発想に基づく御墓の故人名表示器を提供できて、特定の宗教に属さない向きには打って付けである。
【００３６】
本発明の御墓の故人名表示器は、概ね上記の如く実施されるが、これに限定されるわけでは決してなく、「特許請求の範囲」内において種々に設計変更可能であることは云うまでもない。
【００３７】
たとえば、図４に示される通り、第１実施形態の蓋体２３の上面略中心部を対向的に円弧状に刳り抜くことにより、両側の切欠部Ｎの間に把持部Ｈを設けることによって、回転石碑体を着脱自在とすることもできる。これによって、外郭石の開口窓から吹き込む埃や塵で汚れた石碑体を取り出して、汚れを落としたり、あるいは、外郭石の内部を拭いたりすることができる。
【００３８】
また、把持部を掴んで石碑体を回転させれば、希望の故人名を簡単に選択して表示可能である。
【００３９】
【発明の効果】
上述したとおり、本発明に基づく御墓の故人名表示器は、簡易な石工機械によって安価に製作することができるばかりなく、取り扱い上、無理な作業を余儀なくされたり、あるいは、多大の出費を伴うような不意の修理が必要になったりすることはないため、使い勝手が良い故人名表示器を安価に提供でき、特に高齢者や体の不自由な人にとっては打って付けである。
【００４０】
また、本発明に基づく御墓の故人名表示器は、従来の如く、墓碑の内部を刳り抜いたり、あるいは、故人名を表示するに当たって、墓石の一部に足を掛けたりして、祖霊を祀る厳粛な墓石塔を傷つけたり、あるいは、穢したりすることは無い。
【００４１】
また、本発明における御墓の故人名表示器は、従来の如く、複数人の故人名を記した法名板を使用することなく、特定故人の法名を表示して読経できる為、故人に対する参列者の思い出、信仰心にしっくりと適合するものである。
【００４２】
更に、墓参時以外の時節には、前記表示器の非表示面を前記開口窓に向けることによって、風雨等に晒されて、故人名の文字が薄れたり、あるいは、彫られた文字の角部が欠落したりすることはない。
【００４３】
更には、本発明に基づく御墓の故人名表示器は、追加の法名を前記開口窓を介して直接彫り込むことができ、お精入れ及びお精抜きをしなくて済む。
【００４４】
これに加えて、本発明に基づく御墓の故人名表示器は、自由な独創的発想を基にして宗派に関係なく使用することができ、特定の宗教に属さないあるいは既成の宗教様式に縛られたくない向きにとっても好適である。
【図面の簡単な説明】
【図１】図１は、第１実施形態における故人名表示器２を仏式の墓石Ｓに配置した状態を示す正面図である。
【図２】図２は、第１実施形態における故人名表示器２の一部切欠断面図である。
【図３】図３は、第２実施形態における洋式風の墓石Ｓに配置した状態を示す斜視図である。
【図４】図４は、本発明に基づく故人名表示器の変更例を示す斜視図である。
【符号の説明】
Ａ    法名
Ｂ    法名
Ｃ    法名
Ｆ    ステンレストレー
Ｈ    把持部
Ｎ    切欠部
Ｐ    パイプ
Ｒ    徳利
Ｓ    墓石塔
Ｗ    開口窓
１    墓石
１１  墓碑（竿石）
１２  蓮華台
１３  上台石
１４  下台石
１５  芝石
２    故人名表示器
２１  回転石碑体
２１ａ円柱面
２１ｂ枢部
２２  外郭石
２２ａ中空部
２２ｂ軸孔
３    供物置台
３ａ  差込孔（蝋燭）
３ｂ  差込孔（線香）
４    花立て
【図１】
2004324196.tif 000003
【図２】
2004324196.tif 000004
【図３】
2004324196.tif 000005
【図４】
2004324196.tif 000006